(57)【要約】【課題】  ユーザが複雑な設定を行うことなく、端末が自動的に表示装置を認識することにより三次元画像をユーザに提供する。【解決手段】  三次元画像を表示できる装置であって、画像を入力する入力装置と、三次元画像表示を制御する制御装置と、三次元画像表示を生成する生成装置と、前記生成装置から出力される画像を出力する出力装置と、前記出力装置から出力された三次元画像を表示できる表示装置と、前記表示装置が三次元画像表示可能な装置であると認識できる認識装置と、で構成される。【選択図】  図１
2006135747.tif 000002
【特許請求の範囲】
【請求項１】
三次元画像を表示できる装置であって、
画像を入力する入力装置と、
三次元画像表示を制御する制御装置と、
三次元画像表示を生成する生成装置と、
前記生成装置から出力される画像を出力する出力装置と、
前記出力装置から出力された三次元画像を表示できる表示装置と、
前記表示装置が三次元画像表示可能な装置であると認識できる認識装置と、
で構成される三次元画像変換装置。
【請求項２】
請求項１の特徴を有する三次元画像表示装置において、
前記表示装置が三次元表示可能な表示装置であり、
前記入力装置に入力された画像が二次元画像である場合に、
三次元表示可能な表示装置であると認識することのできる認識装置を制御する手段と、
入力された二次元画像を前記表示装置の表示能力に応じた三次元画像に変換し制御を行う手段と、
前記表示装置用に変換された三次元画像を出力制御する手段と、
を有する三次元画像変換装置の制御方法。
【請求項３】
請求項１の特徴を有する三次元画像表示装置において、
前記表示装置が三次元表示可能な表示装置であり、
前記入力装置に入力された画像が三次元画像である場合に、
三次元表示可能な表示装置であると認識することのできる認識装置を制御する手段と、
入力された三次元画像を前記表示装置の表示能力に応じた三次元画像に変換し制御を行う手段と、
前記表示装置用に変換された三次元画像を出力制御する手段と、
を有する三次元画像変換装置の制御方法。
【請求項４】
請求項１の特徴を有する三次元画像表示装置において、
前記表示装置が三次元表示不可能な表示装置であり、
前記入力装置に入力された画像が二次元画像である場合に、
三次元表示不可能な表示装置であると認識することのできる認識装置を制御する手段と、
入力された二次元画像を前記表示装置の表示能力に応じた疑似三次元画像に変換を行う手段と、
前記表示装置用に変換された疑似三次元画像を出力装置に出力する制御を行う手段と、
を有する三次元画像変換装置の制御方法。
【請求項５】
請求項１の特徴を有する三次元画像表示装置において、
前記表示装置が三次元表示不可能な表示装置であり、
前記入力装置に入力された画像が二次元画像である場合に、
三次元表示不可能な表示装置であると認識することのできる認識装置を制御する手段と、
入力された二次元画像をそのまま出力装置に出力する制御を行う手段と、
を有する三次元画像変換装置の制御方法。
【請求項６】
請求項１の特徴を有する三次元画像表示装置において、
前記表示装置が三次元表示不可能な表示装置であり、
前記入力装置に入力された画像が三次元画像である場合に、
三次元表示不可能な表示装置であると認識することのできる認識装置を制御する手段と、
入力された三次元画像を前記表示装置の表示能力に応じた疑似三次元画像に変換を行う手段と、
前記表示装置用に変換された疑似三次元画像を出力装置に出力する制御を行う手段と、
を有する三次元画像変換装置の制御方法。
【請求項７】
請求項１の特徴を有する三次元画像表示装置において、
前記表示装置が三次元表示不可能な表示装置であり、
前記入力装置に入力された画像が三次元画像である場合に、
三次元表示不可能な表示装置であると認識することのできる認識装置を制御する手段と、
入力された三次元画像を前記表示装置の表示能力に応じた二次元画像に変換を行う手段と、
前記表示装置用に変換された疑似三次元画像を出力装置に出力する制御を行う手段と、
を有する三次元画像変換装置の制御方法。
【発明の詳細な説明】
【技術分野】
【０００１】
本発明は、三次元表示可能な表示装置に対して自動的に三次元画像を生成し提供することのできる三次元画像変換装置に関するものである。
【背景技術】
【０００２】
近年、三次元表示技術が目覚ましく向上しており、一般の人々が手軽に三次元画像を楽しむ環境が整ってきた。（例えば、特許文献１参照。）
例えば、家庭用ゲーム機では三次元画像で描画表現が行われ臨場感のある画像の提供が行われている。
【０００３】
また例えば、立体撮影カメラによる三次元画像の生成も進歩してきている。（例えば、特許文献２参照。）
【特許文献１】特開平１１−１１０１８０号公報
【特許文献２】特表２００４−５０１３８８号公報
【発明の開示】
【発明が解決しようとする課題】
【０００４】
しかしながら、三次元表示が行える三次元表示装置の表示方式が複数存在するため、表示装置の表示方式に合わせて立体画像を作成し表示しなければならず、同じ画像データを異なる表示方式の三次元表示装置で表示することができない。
【０００５】
本発明は、上記従来例を鑑み、三次元表示装置の種類を自動的に認識し、三次元表示装置に適した画像を自動的に生成することのできる三次元画像変換装置の提供を試みるものである。
【課題を解決するための手段】
【０００６】
上記目的を達成するために本発明の三次元画像変換装置は以下のような構成を備える。
【０００７】
即ち、画像を三次元画像に変換することができる装置であって、画像を入力する入力装置と、三次元画像表示を制御する制御装置と、三次元画像を生成する生成装置と、生成した三次元画像を出力する出力装置と、三次元画像表示装置の前記出力装置に接続されている表示装置と、前記表示装置が三次元画像表示可能である事を認識する認識装置と、を有することを特徴とする。
【０００８】
また、画像を三次元画像に変換することができる装置であって、表示装置が三次元画像表示可能であると認識できた時、入力された二次元画像に対して前記表示装置に適した三次元画像への変換を行い、前記表示装置に対して三次元画像を出力する機能、を有することを特徴とする。
【０００９】
また、画像を三次元画像に変換することができる装置であって、表示装置が三次元画像表示可能であると認識できた時、入力された三次元画像に対して前記表示装置に適した三次元画像への変換を行い、前記表示装置に対して三次元画像を出力する機能、を有することを特徴とする。
【００１０】
また、画像を三次元画像に変換することができる装置であって、表示装置が三次元画像表示不可能であると認識できた時、入力された二次元画像に対して前記表示装置に適した疑似三次元画像への変換を行い、前記表示装置に対して疑似三次元画像を出力する、または入力された二次元画像のまま前記表示装置に出力する機能、を有することを特徴とする。
【００１１】
また、画像を三次元画像に変換することができる装置であって表示装置が三次元画像表示不可能であると認識できた時、入力された三次元画像に対して前記表示装置に適した疑似三次元画像への変換を行い、前記表示装置に対して疑似三次元画像を出力する、または入力された三次元画像を二次元画像に変換を行い、前記表示装置に対して二次元画像を出力する機能、を有することを特徴とする。
【発明の効果】
【００１２】
以上説明したように本発明によれば、複雑な設定操作をおこなうことなしに表示装置の表示能力を自動的に認識し、表示装置の表示能力に適した三次元画像を提供することができる。
【発明を実施するための最良の形態】
【００１３】
以下、添付図面を参照して本発明の好適な実施の形態を詳細に説明する。
【００１４】
以下簡単に本実施の形態の概要を述べると、本実施の形態では、接続された表示装置の表示能力を自動的に認識し、表示装置の表示能力に応じて入力された画像を三次元画像に変換して表示装置に出力することができる三次元画像変換装置を提供するものである。
【００１５】
＜三次元画像変換装置の構成図（図１）＞
本発明の実施の形態に関わる三次元画像変換装置を、簡易に実現する例をあげる。
【００１６】
図１は、三次元画像変換装置の構成を示す図であり、１は三次元画像変換装置全体を、２は入力される画像を、３は入力装置を、４は制御装置を、５は三次元画像生成装置を、６は認識装置を、７は出力装置を、７ａは出力装置の接続端子を、８は例えば眼鏡型ディスプレイのような三次元画像を表示することができる表示装置を、８ａは表示装置の接続端子を表しており、３入力装置と４制御装置と５三次元画像生成装置と６認識装置と７，７ａ出力装置は１三次元画像変換装置を構成する装置群である。
【００１７】
まず、１三次元画像変換装置の７ａ接続端子と８表示装置の８ａを接続する。
【００１８】
７ａ接続端子に８表示装置が接続されると、７出力装置は８表示装置の表示能力を８表示装置に問い合わせる。
【００１９】
８表示装置は、１三次元画像変換装置に対して表示能力に関する情報を８ａ接続端子から１三次元画像変換装置の７ａ接続端子に通知する。
【００２０】
８表示装置の表示能力情報を受信した７出力装置は、６認識装置に受信した表示能力情報を伝達する。
【００２１】
６認識装置は、７出力装置から受け取った８表示装置の表示能力情報を解析し、どのような画面表示を行うことができるのか、最も８表示装置に適した三次元画像表示はどういう設定なのか、を認識し、４制御装置に対して認識結果を通知する。
【００２２】
一方、三次元画像変換を行いたい２画像は３入力装置に入力され、３入力装置に入力された２画像の情報も６認識装置に送信され、６認識装置は入力された２画像がどのような形式の画像であるのかを認識し、６認識装置は２画像の認識結果を４制御装置に通知する。
【００２３】
６認識装置が認識した８表示装置の表示能力の認識結果と２画像の認識結果を受信した４制御装置は、８表示装置の表示能力に最も適した三次元変換を行うことができるよう５三次元画像生成装置に対して設定を行う。
【００２４】
５三次元画像生成装置は、４制御装置から設定された設定値に従って３入力装置から伝達された２画像に対して三次元変換を行う。
【００２５】
５三次元画像生成装置で変換された三次元画像は７出力装置に出力され、７出力装置から８表示装置へ出力・表示が行われる。
【００２６】
また、４制御装置には予め三次元表示方法を設定しておくことが出来る。
【００２７】
例えば、２画像が二次元画像であり、８表示装置が右眼用と左眼用の表示装置を持つ眼鏡型ディスプレイで右眼用と左眼用のそれぞれ独立した画像を入力・表示が行える場合、利用者は「交差法」や「平行法」等といった裸眼立体視法に基づく三次元表示方法を４制御装置に設定を行うことができ、５三次元画像生成装置は４制御装置の設定に従い入力された２画像を設定された「交差法」や「平行法」といった手法を用いて三次元画像化を行い、７出力装置は８表示装置の右眼用と左眼用の各表示装置に対してそれぞれ三次元画像を出力する。
【００２８】
また例えば、２画像が三次元画像であるが８表示装置が表示できる三次元画像の形式と異なる場合、６認識装置の認識結果に基づき４制御装置は５三次元画像生成装置に対して２画像を８表示装置の解像度や表示方式といった表示能力に適した三次元画像に変換するように命じ、７出力装置から８表示装置へ三次元画像の出力が行われる。
【００２９】
また例えば、２画像が三次元画像であり、８表示装置が二次元画像しか表示できない表示装置または低価格なテレビのような表示能力を８ａ接続端子から通知できない表示装置の場合、４制御装置は６認識装置から受け取った認識結果に基づき三次元画像を二次元画像に変換しなければならないと判断し、例えばアナグリフのような赤青メガネを用いることにより擬似的な三次元画像として見ることができる画像に変換するよう４制御装置は５三次元画像生成装置に命令を行い、８表示装置に対して疑似三次元画像を出力する。
【００３０】
また例えば、４制御装置に「二次元画像に変換」するという設定を行うことができる場合、入力された２画像が三次元画像である場合は、１三次元画像変換装置は三次元画像を二次元画像に見えるように画像変換を行い８表示装置に二次元画像を出力し、入力された２画像が二次元画像である場合は、１三次元画像変換装置は何もせずに入力された２画像をそのまま８表示装置に出力する。
【００３１】
これにより、利用者が細かい設定を施すことなく、手軽に三次元画像を楽しむことが出来るようになる。
【００３２】
なお、この発明は上記実施例に限定されず、この発明を逸脱しない範囲内において種種変形応用可能である。
【００３３】
例えば、本実施例では、制御装置は三次元画像表示用の設定項目のみを所持している場合を例示しているが、制御装置に色調や画質といったような設定値も同時に設定し三次元画像に変換できるようにする場合も、この発明の応用の範疇にあることは勿論である。
【００３４】
また例えば、三次元画像変換装置が対応していない画像データが入力された場合、制御装置と三次元画像生成装置が画像データのフォーマット解析を自動的に行い、できる限り表示可能な画像に変換することを試み出力する等の場合も、この発明の応用の範疇にあることは勿論である。
【図面の簡単な説明】
【００３５】
【図１】本発明の三次元画像変換装置の構成を表す図である。
【図１】
2006135747.tif 000003